(57)【要約】【課題】本発明の解決しようとする課題は、実物に近い質感を有し、着色成形に比較して調色の手間も省け、ラメ入り製品も可能であり、かつ安価に製造できる口紅サンプルを提案するものである。【解決手段】リップスティック形状の成形体２の表面に口紅の色彩の塗料を塗布して着色塗膜３を形成し、該着色塗膜３を形成した成形体２に透明な成形体からなるカバー４を被せたことを特徴とする口紅サンプル１である。また前記透明なカバー４は、外側表面に複数の面取り部５を有するものであってもよい。また前記塗料は、光輝性の顔料を含むものであってもよい。【選択図】図１
2014226293.tif 000002
【特許請求の範囲】
【請求項１】
リップスティック形状の成形体の表面に口紅の色彩の塗料を塗布して着色し、該着色した成形体に透明な成形体からなるカバーを被せたことを特徴とする口紅サンプル。
【請求項２】
前記透明なカバーは、外側表面に複数の面取り部を有することを特徴とする請求項１に記載の口紅サンプル。
【請求項３】
前記塗料は、光輝性の顔料を含むことを特徴とする請求項１または２に記載の口紅サンプル。
【請求項４】
前記リップスティック形状の成形体は、一方の端縁が閉鎖された筒状であることを特徴とする請求項１〜３のいずれか１項に記載の口紅サンプル。
【発明の詳細な説明】
【技術分野】
【０００１】
本発明は、消費者が口紅を購入する際に、口紅の品番を選択するための便宜に店頭に展示する口紅サンプルに関する。
【背景技術】
【０００２】
従来、店頭に設置する口紅サンプルとしては、実物を展示する例もあったが、費用もかかる上、口紅の色数も増え、店頭の狭いスペースに並べきれないという問題があった。
【０００３】
そこで、実物の色に似せて印刷した紙を貼った小型のサンプルを並べたり（特許文献１）、実物の色に合わせて調色したプラスチックと、保護のための透明プラスチックを用いた２色成形法によるプラスチック製のミニチュアサンプルを並べたりしていた。
【０００４】
特許文献２に記載された色見本付きテスターは、従来の２色成形法によるサンプルにおいて、成形時のパーティングラインが目立つという問題を解消しようとしたものである。
【先行技術文献】
【特許文献】
【０００５】
【特許文献１】実公昭５２−２０２４０号公報
【特許文献２】特開２００９−１１３４６６号公報
【発明の概要】
【発明が解決しようとする課題】
【０００６】
従来の紙に印刷した色見本は、平面的で質感に欠けるため、どうしても実物とは印象が異なるものとならざるを得なかった。また、着色プラスチックによる成型品は、調色や製造に要する手間が膨大であるばかりでなく、たとえ２色成形によって、表面に透明層を設けたとしても、実物の質感には及ばなかった。
【０００７】
また、近年、ラメ入りの製品も見られるようになったが、ラメ粉のような粒径の大きい顔料を配合した樹脂を用いて成形しようとすると、成形時の樹脂の流れに沿ってウエルドラインが目立つという問題もある。
【０００８】
本発明の解決しようとする課題は、実物に近い質感を有し、着色成形に比較して調色の手間も省け、ラメ入り製品も可能であり、かつ安価に製造できる口紅サンプルを提案するものである。
【課題を解決するための手段】
【０００９】
上記の課題を解決するための手段として、請求項１に記載の発明は、リップスティック形状の成形体の表面に口紅の色彩の塗料を塗布して着色し、該着色した成形体に透明な成形体からなるカバーを被せたことを特徴とする口紅サンプルである。
【００１０】
本発明に係る口紅サンプルは、リップスティック形状の成形体の表面に口紅の色彩の塗料を塗布して着色したので、より実物の質感に近づけることができる。
【００１１】
また、請求項２に記載の発明は、前記透明なカバーが、外側表面に複数の面取り部を有することを特徴とする請求項１に記載の口紅サンプルである。
【００１２】
また、請求項３に記載の発明は、前記塗料が、光輝性の顔料を含むことを特徴とする請
求項１または２に記載の口紅サンプルである。
【００１３】
また、請求項４に記載の発明は、前記リップスティック形状の成形体が、一方の端縁が閉鎖された筒状であることを特徴とする請求項１〜３のいずれか１項に記載の口紅サンプルである。
【発明の効果】
【００１４】
本発明に係る口紅サンプルは、リップスティック形状の成形体の表面に口紅の色彩の塗料を塗布して着色したので、紙の印刷物や、着色成型品に比較して、より実物の口紅に近い質感を表現することが可能となった。
【００１５】
また、この着色した成形体に別の透明な成形体からなるカバーを被せたので、サンプルとしての高級感が高まった。
【００１６】
請求項２に記載の発明のように、カバーの外側表面に複数の面取り部を設けた場合には、光の反射面が増えるため、光の反射や屈折により、さらに高級感が高まる。
【００１７】
請求項３に記載の発明のように、塗料が、光輝性の顔料を含む場合には、実際のラメ入り製品に近い質感が得られ、この効果は、紙の印刷物や着色成型品では得ることができない。
【００１８】
また請求項４に記載の発明のように、リップスティック形状の成形体が、一方の端縁が閉鎖された筒状である場合には、成形体の肉厚を適度に設計することにより、成形時のヒケや変形を防止することができると共に、成形サイクルも短縮でき、さらに樹脂材料の節約にも繋がる。
【図面の簡単な説明】
【００１９】
【図１】図１は、本発明に係る口紅サンプルの斜視説明図である。図１（１）は、表面に着色を施したリップスティック形状の成形体である。図１（２）は、透明な成形体からなるカバーを示す。
【図２】図２は、本発明に係る口紅サンプルの断面模式図である。
【図３】図３は、本発明に係る口紅サンプルを展示台に並べた状態の例を示した斜視図である。
【図４】図４は、リップスティック形状の他の例を示したものである。
【発明を実施するための形態】
【００２０】
以下、図面を参照しながら、本発明に係る口紅サンプルについて説明する。図１は、本発明に係る口紅サンプル（１）の斜視説明図である。図１（１）は、表面に着色を施したリップスティック形状の成形体（２）である。図１（２）は、透明な成形体からなるカバー（４）を示す。図２は、本発明に係る口紅サンプルの断面模式図である。
【００２１】
本発明に係る口紅サンプル（１）は、リップスティック形状の成形体（２）の表面に口紅の色彩の塗料を塗布して着色し、着色塗膜（３）を形成した成形体に、別の透明な成形体からなるカバー（４）を被せたことを特徴とする口紅サンプルである。
【００２２】
本発明に係る口紅サンプル（１）は、リップスティック形状の成形体（２）の表面に口紅の品番毎に異なる色彩の塗料を塗布して着色するものであるが、塗料の色調を目的とす
る口紅の色調に合わせるいわゆる調色作業は、成形用の樹脂ペレットに着色する場合の調色作業に比較して、はるかに容易である。
【００２３】
特に近年は、色差計を用いて目的とする色調の顔料配合を自動的に計算するコンピューターソフトなども発達してきているため、調色作業はさらに容易となっている。
【００２４】
着色を施す成形体（２）は、目的とする口紅の色調にかかわらず共通に使用できるので、成形体（２）を大量に作製しておき、多数個付けの塗装治具に並べてスプレー塗装によりまとめて塗装することにより、色調別のサンプルを能率良く作製することができる。
【００２５】
スプレー塗装によれば、立体的な形状の成形体であっても均一に塗装することができ、また塗装面が平滑であるため、仕上がりの質感にも優れている。また、色替え作業も容易である。
【００２６】
またスプレー塗装の場合、メタリック顔料やパール顔料などの光輝性の顔料のように、粒子径の大きな顔料であっても均一に塗装することができるため、パール色やラメ入りの口紅のような色調であっても、安定して再現することができる。
【００２７】
本発明に係る口紅サンプル（１）は、着色したリップスティック形状の成形体（２）をさらに透明な成形体からなるカバー（４）によって覆ったことにより、店頭に置いてもほこりなどによって汚れることもなく、色見本としての機能を長期間発揮することができる。また見本としての高級感も増す。
【００２８】
図１に示した実施態様においては、カバー（４）の外側表面に複数の面取り部（５）が設けられており、このため面同士の反射や屈折により、見本としての高級感がさらに増すと共に、色の深みが増すという効果もある。
【００２９】
特に図示しないが、リップスティック形状の成形体（２）とカバー（４）とは、互いに嵌合する突起と凹部を備えて、嵌合するように設計してもよい。
【００３０】
図３は、本発明に係る口紅サンプル（１）を展示台（６）に並べた状態の例を示した斜視図である。この場合も、口紅サンプル（１）と展示台（６）とが、定位置に嵌合するように突起と凹部を備えると、常に所定の位置に配置することができて好都合である。
【００３１】
図４は、リップスティック形状の他の例を示したものである。図４（１）は、片側の先端が尖った形状であり、図４（２）は、先端が半球形のもの、図４（３）は、先端の中央部が尖った形状である。本発明に係る口紅サンプルは、どのような形状にも対応することができる。
【００３２】
本発明に係る口紅サンプル（１）に使用する材料としては、リップスティック形状の成形体（２）として、塗装可能な熱可塑性樹脂がいずれも使用できる。例を挙げれば、ポリプロピレン樹脂、ポリスチレン樹脂、ＡＢＳ樹脂、ポリアミド樹脂、ポリエステル樹脂など汎用の熱可塑性樹脂の多くが使用可能である。
【００３３】
リップスティック形状の成形体（２）は、図２に示したように、一方の端縁が閉鎖された筒状であることが望ましい。内部を中空にすることにより、材料が節約され、成型サイクルが短くて済む。内部をソリッドにすると成型サイクルが長くなるばかりでなく、ヒケや変形の原因となる場合がある。
【００３４】
リップスティック形状の成形体（２）に塗装する塗料としては、アクリル樹脂系塗料、
アクリルウレタン樹脂系塗料、水性ウレタン樹脂系塗料など公知のプラスチック用塗料が使用できる。
【００３５】
着色塗料の塗装に先立って、プライマーを塗装してもよい。また着色塗装の後に、透明塗装を行ってもよい。
【００３６】
着色塗料に添加する光輝性の顔料としては、天然パール顔料、合成パール顔料等のパール顔料や、金粉、アルミ粉等の金属粉や、金属を蒸着した薄いプラスチックフィルムを粉砕した箔片顔料等が用いられる。
【００３７】
透明なカバー（４）の材質としては、公知の透明熱可塑性樹脂が使用できる。透明性や屈折率の高さなどから、アクリル樹脂が好ましく使用できる。ポリスチレン樹脂やポリエステル樹脂も使用可能である。
【００３８】
本発明に係る口紅サンプル（１）は、底面に蓋を設けて、内部に実物の口紅を収納してもよい。そうすることにより、実際に唇に塗って、仕上がりを確認することができる。
【符号の説明】
【００３９】
１・・・口紅サンプル
２・・・リップスティック形状の成形体
３・・・着色塗膜
４・・・透明なカバー
５・・・面取り部
６・・・展示台
【図１】
2014226293.tif 000003
【図２】
2014226293.tif 000004
【図３】
2014226293.tif 000005
【図４】
2014226293.tif 000006